(57)【要約】      （修正有）【課題】パワーターン用途のための改良された性能を有する多プライ構造を有するコンベヤーベルトを提供する。【解決手段】強化コンベヤーベルトは複数の織物プライ３０，４０を有している。各プライのうちの１方のプライ３０は、横糸コードＷＥからなる２層３２，３４と横糸コードＷＥからなる２つの層３２，３４を貫いて織り合わせている複数の縦糸コードＷＡ１，ＷＡ２，ＷＡ３を備える、織り合わされたプライである。各々の縦糸コードＷＡ１，ＷＡ２，ＷＡ３は、第１の横糸層３２においては、少なくとも２本、しかし５本以下の横糸コードＷＥの上を通過し、２つの横糸層３２，３４の間を少なくとも２本の横糸コードＷＥの距離に渡って通過し、そして、第２の横糸層３４においては、少なくとも２本、しかし５本以下の横糸コードＷＥの下を通過することからなる繰り返しの織物パターンを有している。【選択図】図４
2008162803.tif 000002
【特許請求の範囲】
【請求項１】
２つの織物プライを備えている連続長のベルト材料であって、
第１の織物プライが、横糸コードからなる２層と、該横糸コードからなる２層を貫いて織り合わせている複数の縦糸コードを備える、織り合わされたプライであり、
各々の前記縦糸コードは、第１の横糸層においては、少なくとも２本、しかし５本以下の前記横糸コードの上を通過し、２つの前記横糸層の間を少なくとも２本の前記横糸コードの距離に渡って通過し、そして、第２の横糸層においては、少なくとも２本、しかし５本以下の前記横糸コードの下を通過することからなる、連続する繰り返しの織物パターンを有している連続長のベルト材料。
【請求項２】
第２の織物プライは、平織、繻子織、若しくは斜文織からなるグループから選択される織物パターンを有している請求項１に記載の連続長のベルト材料。
【請求項３】
前記第１の織物プライのコードは、ポリエステル、ポリアミド、綿、ナイロン、繊維ガラス、炭素繊維、ポリベンゾオキサゾール繊維、若しくはその任意の混成物又は混合物からなるグループから選択される請求項１に記載の連続長のベルト材料。
【請求項４】
各々の前記織物プライが、エラストマー樹脂、若しくは熱可塑性樹脂に埋め込まれている請求項１に記載の連続長のベルト材料。
【請求項５】
上カバーを更に備えている請求項１に記載の連続長のベルト材料。
【請求項６】
前記第１の織物プライの中の各々の前記縦糸コードは、前記第１の横糸層における、少なくとも３本、しかし４本以下の前記横糸コードの上を通過し、前記第２の横糸層における、少なくとも３本、しかし４本以下の前記横糸コードの下を通過する請求項１に記載の連続長のベルト材料。
【請求項７】
前記第２の織物プライが、前記横糸コードからなる単独の層を備えている織物パターンを有している請求項１に記載の連続長のベルト材料。
【請求項８】
前記ベルト材料は１対の対向する両端を有し、閉ループベルトを形成するために両端が互いに固定されている請求項１に記載の連続長のベルト材料。
【請求項９】
有限長の閉ループ構造を有しているパワーターンコンベヤーベルトであって、該ベルトは、少なくとも２つの織物のプライから形成され、
第１の織物プライは、横糸コードからなる２つの層と、該横糸コードからなる２つの層を貫いて織り合わせている複数の縦糸コードを備える、織り合わされたプライであり、
各々の前記縦糸コードは、前記第１の横糸層においては、少なくとも２本、しかし５本以下の前記横糸コードの上を通過し、２つの前記横糸層の間を少なくとも２本の前記横糸コードの距離に渡って通過し、そして、前記第２の横糸層においては、少なくとも２本、しかし５本以下の前記横糸コードの下を通過することからなる連続する繰り返しの織物パターンを有しているパワーターンコンベヤーベルト材料。
【請求項１０】
第２の織物プライは、平織、繻子織、若しくは斜文織からなるグループから選択される織物パターンを有している請求項９に記載のベルト材料
【請求項１１】
前記第１の織物プライのコードは、ポリエステル、ポリアミド、綿、ナイロン、繊維ガラス、炭素繊維、ポリベンゾオキサゾール繊維、若しくはその任意の混成物又は混合物からなるグループから選択される請求項９に記載のベルト材料。
【請求項１２】
各々の前記織物プライは、エラストマー樹脂、若しくは熱可塑性樹脂に埋め込まれている請求項９に記載のベルト材料。
【請求項１３】
前記ベルト材料は上カバーを更に備えている請求項９に記載のベルト材料。
【請求項１４】
前記第１の織物プライの中の各々の前記縦糸コードは、前記第１の横糸層においては、少なくとも３本、しかし４本以下の前記横糸コードの上を通過し、前記第２の横糸層においては、少なくとも３本、しかし４本以下の前記横糸コードの下を通過する請求項９に記載のベルト材料。
【請求項１５】
前記第２の織物プライが前記横糸コードの単独の層を備えている織物パターンを有している請求項９に記載のベルト材料。
【請求項１６】
前記ベルトは外側及び内側を有し、前記第１の織物プライは前記第２の織物プライよりも外側に近い請求項９に記載のベルト材料。
【発明の詳細な説明】
【技術分野】
【０００１】
本発明は、強化ベルトを対象にしている。更に具体的には、前記強化ベルトは、パワーターン（powerturn）用途に使用される際に、ベルトの性能を向上させるように設計された内部構造を有する。
【背景技術】
【０００２】
パワーターンベルトは特殊化されたコンベヤーベルトの一種であって、そのコンベヤーベルトは、その長手方向の長さに対し平行な直線経路を移動しない。最小では、パワーターンベルトは３０°の円弧に亘って移動する。最大では、パワーターンベルトは複数回の３６０°旋回を行う場合があり、これはスパイラルコンベヤーと呼ばれる。このようなベルトは、倉庫、空港、及び食品産業と、異なる様々な産業に応用できる。
【０００３】
旋回時のベルトを補助するよう、前記ベルトの少なくとも一方の長手方向の端部には、コンベヤーシステムによって機械的に握持される手段が設けられている。このような手段は、特許文献１に示されたガイド手段、及び特許文献２に記載されたような樹脂の成形品を含む。
【０００４】
パワーターン用途のための従来のコンベヤーベルトは、単純な縦糸／横糸で織られた織物からなるいくつかの薄いプライ（ply）で作られており、両方のプライは同一の強化構造を有している。強化構造はパワーターンシステムの要求に応じて、ＰＶＣのようなエラストマー又はプラスチック母材のどちらかに埋め込まれている。過去においては、このようなベルトで申し分ないものだと判明していたが、このようなベルトは、パワーターンシステムにおいてベルトはカーブ若しくはＵターンして移動することによってベルトに異なる張力がかかることを考慮されていない。このことはコンベヤーベルトの耐久性及び性能の低下につながる場合がある。
【特許文献１】米国特許第３９５１２５６号明細書
【特許文献２】米国特許第６８３４７６０号明細書
【発明の開示】
【発明が解決しようとする課題】
【０００５】
本発明は複数プライ構造を有するコンベヤーベルトを対象にしており、このベルトはパワーターン用途のための改良された性能を有している。
【課題を解決するための手段】
【０００６】
ここに開示されているのは、２つの織物プライを備えている連続長のベルト材料である。各プライのうち１つは、横糸コードからなる２層と、横糸コードからなる２層を貫いて織り合わせている複数の縦糸コードを備える、織り合わされたプライ（interwoven ply）である。各々の縦糸コードは、第１の横糸層においては、少なくとも２本、しかし５本以下の横糸コードの上を通過し、２つの横糸層の間を少なくとも２本の横糸コードの距離に渡って通過し、そして、第２の横糸層においては、少なくとも２本、しかし５本以下の横糸コードの下を通過することからなる、連続する繰り返しの織物パターンを有している。好適には、第１層の各々の縦糸コードは、第１横糸層において、少なくとも３本、しかし４本以下の横糸コードの上を通過し、第２横糸層において、少なくとも３本、しかし４本以下の横糸コードの下を通過している。
【０００７】
本発明のもう一つの特徴においては、第１織物プライのコードは、ポリエステル、ポリアミド、綿、ナイロン、繊維ガラス、炭素繊維、ポリベンゾオキサゾール（polybenzoxazole，ＰＢＯ）繊維、若しくはその任意の混成物又は混合物から成るグループから選択される。
【０００８】
本発明の別の特徴においては、織物の第２プライは、横糸コードの単一層を備えている織物パターンを有している。織物パターンは平織、繻子織（satin weave）、若しくは斜文織（twill weave）からなるグループから選択される。
【０００９】
更に開示されているのはパワーターンコンベヤーベルト材料であって、これは有限長の閉ループ構造を有している。ベルト材料は少なくとも２つの織物のプライを有している。各プライのうち１つは、横糸コードからなる２層と、横糸コードからなる２層を貫いて織り合わせている複数の縦糸コードを備える、織り合わされたプライである。各々の縦糸コードは、第１の横糸層においては、少なくとも２本、しかし５本以下の横糸コードの上を通過し、２つの横糸コードのプライの間を少なくとも２本の横糸コードの距離に渡って通過し、そして、第２の横糸層においては、少なくとも２本、しかし５本以下の横糸コードの下を通過することからなる、連続する繰り返しの織物パターンを有している。好適には、第１プライの各々の縦糸コードは、第１横糸層において、少なくとも３本、しかし４本以下の横糸コードの上を通過し、第２横糸層において、少なくとも３本、しかし４本以下の横糸コードの下を通過している。
【００１０】
パワーターンベルトの別の特徴においては、第１織物プライのコードは、ポリエステル、ポリアミド、綿、ナイロン、繊維ガラス、炭素繊維、ポリベンゾオキサゾール（ＰＢＯ）繊維、若しくはその任意の混成物又は混合物からなるグループから選択される。
【００１１】
本発明の別の特徴においては、第１織物プライは閉ループ構造の最外部のプライであり、頑丈なパワーターン用途に使用するための、より耐久力のあるベルト表面を形成する。
【００１２】
本発明の別の特徴においては、織物の第２プライは、横糸コードの単一層を備えている織物パターンを有している。織物パターンは平織、繻子織、若しくは斜文織からなるグループから選択される。
【００１３】
本発明は、例示による方法で、添付図面を参照して説明される。
【発明を実施するための最良の形態】
【００１４】
以下の記述は、本発明を実施するための現時点での最良の一の形態又は複数の形態である。この記述は、本発明の一般的原理を説明することを目的になされたものであって、趣旨を制限して理解されるべきではない。本発明の技術的範囲は添付の特許請求の範囲を参照することによって、最も良く規定される。図面に示されている参照符号は明細書内に引用されている参照符号と同一である。この出願の目的のために、図に示されている様々な形態の各々は、同様の構成要素に対する同一の参照数字を使用している。構成は基本的に位置若しくは数量の変形形態を有する同一の構成要素を採用し、それによって発明概念を実施することができる代替構造が生じる。
【００１５】
図１は矢印Ｄによって指し示された移動方向を有するパワーターンコンベヤーベルトシステムを説明している。このシステムは、１対の円錐プーリー１２に関して移動する、有限長の閉ループベルト１０の基本要素を有している。ベルト１０の最長のエッジに沿っているのは、ベルト１０をパワーターンシステムに接続させる追跡機構１４である。追跡システム１４の詳細は本発明に絶対不可欠なものではなく、既知若しくは従来の追跡システムのいずれかを用いることができる。
【００１６】
有限長の、パワーターンの閉ループベルト１０は、最初に、図２Ａに見られるような、Ｄ方向の所定の長さ、向かい合った外側縁１８、及び強化コードを有した連続長のベルト材料１６として製造される。連続長のベルト内の強化コードは、コードが連続ベルトの長手方向Ｄに平行である場合は縦糸として、長手方向Ｄに対して横断方向若しくは長手方向Ｄと直角を成す場合は横糸として定義される。
【００１７】
パワーターン用途のための有限長の閉ループベルトを形成するため、連続長のベルトが図２Ｂに見られるように、有限長のベルトの円弧２０に切断され、閉ループベルト１０を形成するように継ぎ合わされる。円弧が連続長のベルト材料１６の中を切断するので、有限長のベルト材料の円弧２０の第１部分２２に沿って、ベルト材料の円弧の強化縦糸コードＷＡ及び横糸コードＷＥが、連続長のベルト１６のような、縦糸及び横糸コードに対応する。しかしながら、有限長のベルト材料の円弧２０の第２部分２４においては、円弧形状及び有限長の閉ループベルト１０の移動方向Ｔによって、有限長のベルト材料の円弧２０の中点を過ぎると、第1部分２２において縦糸コードＷＡであったコードは横糸コードＷＥ’として機能し始め、第1部分において横糸コードＷＥであったコードは縦糸コードＷＡ’として機能し始める。
【００１８】
本発明のベルトにおいては、有限長の閉ループベルト１０を形成するために切断され、継ぎ合わされる連続長のベルト１６は、図３に見られるように基材に埋め込まれ、ともに結合された第１及び第２強化プライを有する、２−プライ構造である。上層プライ３０は、図４に見られるように、横糸コードＷＥの２つの層３２，３４、及び横糸コードＷＥの２つの層３２，３４の間で織り合わされた３本の縦糸コードＷＡ１、ＷＡ２、ＷＡ３の繰り返しシーケンスから形成された複合プライである。各々の縦糸コードＷＡ１、ＷＡ２、ＷＡ３は織物パターンを繰り返すように、上段の横糸層３２においては、少なくとも２本の横糸コードＷＥの上を通過し、２つの横糸コードの層３２，３４の間を、少なくとも２本、好適には３本、しかし５本以下の横糸コードＷＥと略等しい長さに渡って通過し、その後、下段の横糸層３４においては、上段の横糸層３２まで戻る前に、少なくとも２本の横糸コードＷＥの下を通過する。図で示した縦糸コードＷＡ１、ＷＡ２、ＷＡ３は、各々の層３２，３４において、２本の横糸コードＷＥの上及び下を通過する。縦糸コードＷＡ１、ＷＡ２、ＷＡ３によって上及び下を通過される各々の層における横糸コードＷＥの最大数は、５本の横糸コードＷＥ、好適には３本〜４本の横糸コードＷＥである。上を通過／下を通過する横糸コードＷＥの数が５本を超える場合は、上層プライ３０の耐久性を、ベルトが強い応力と負荷にさらされた状況に妥協させることができる。
【００１９】
最上プライ３０においては、３本の縦糸コードＷＡ１、ＷＡ２、ＷＡ３は完成した織物内で互いに隣接し、密接した織物パターンを形成する。最上プライの縦糸及び横糸コードＷＡ１、ＷＡ２、ＷＡ３、ＷＥは好適には同じ材料で作られる。しかしながら、異なる方向において織物の強度を変化させるために、縦糸及び横糸の糸は異なる材料で形成され得る。コードは、ポリエステル、ポリアミド、綿、ナイロン、繊維ガラス、炭素繊維、ポリベンゾオキサゾール（ＰＢＯ）繊維、若しくはその任意のブレンド又は混合のグループから選択することができる。
【００２０】
下層プライ４０は上層プライ３０よりも単純な織物プライであり、横糸コード４４の単独の層のみを有している。織物プライ４０は、各々の縦糸コード４２が横糸コード４４の上及び下を通過する、一般に平織と呼ばれるパターンの、単純な縦糸と横糸の織物プライである。下層プライ４０は、あるいは、従来の繻子織、若しくは斜文織で織られ得る。下層プライ４０のコード４２，４４は、ポリエステル、ポリアミド、綿、ナイロン、繊維ガラス、炭素繊維、ポリベンゾオキサゾール（ＰＢＯ）繊維、若しくはその任意の混成物又は混合物のグループから選択される。
【００２１】
ベルト材料１６及び閉ループベルト１０においては、異なるタイプの織物プライ３０，４０の故に、上層プライ３０がベルト材料１６及び閉ループベルト１０に強度の大部分を供給し、ベルト材料１６及び閉ループベルト１０に改良された耐久性を提供する。
【００２２】
各々の織物プライ３０，４０は、エラストマー材料、若しくは熱可塑性材料、例えばゴム、若しくはポリ塩化ビニル（ＰＶＣ）化合物、若しくはコンベヤーベルト用途に使用される他のタイプの樹脂の中に埋め込まれている。埋め込み樹脂はベルト材料の所望の最終用途に基づいて選択される。２−プライ構造には、立体感のある、若しくは粗くされた表面を形成するための模様（imprint）が形成され得る、若しくは形成されなくてもよい、上及び下カバー層５０，５２が設けられ得る。上カバー層５０が設けられる場合には、カバー層はいかなるタイプの連続したコード又は糸によっても強化されることはない。下カバー層は織物の手段によって強化されても、されなくてもよい。
【００２３】
連続長のベルトの使用はパワーターン用途に特に役立つものとして開示されているが、このベルトは他のコンベヤーベルト用途においても使用することができ、ベルトの両端をともに固定することによって閉ループシステムが作られる。
【図面の簡単な説明】
【００２４】
【図１】９０°のパワーターン用途を示す図である。
【図２Ａ】連続長のベルト材料の概略図である。
【図２Ｂ】パワーターンベルト材料を製造する際に使用されるベルト材料の区域のための切断線を示した連続長のベルトの概略図である。
【図３】本発明による織物の断面図である。
【図４】ベルト材料に使用される織物プライの更なる詳細図である。
【符号の説明】
【００２５】
１０  閉ループベルト
１２  円錐プーリー
１４  追跡システム
１６  連続長のベルト
１８  外側縁
２０  有限長のベルト材料の円弧
２２  第１部分
２４  第２部分
３０  最上プライ
３２  横糸コードの層
３４  横糸コードの層
４０  最下プライ
４２  縦糸コード
４４  横糸コード
５０  上カバー層
５２  下カバー層
【図１】
2008162803.tif 000003
【図２Ａ】
2008162803.tif 000004
【図２Ｂ】
2008162803.tif 000005
【図３】
2008162803.tif 000006
【図４】
2008162803.tif 000007
【外国語明細書】
2008162803.tif 000008
2008162803.tif 000009
2008162803.tif 000010
2008162803.tif 000011
2008162803.tif 000012
2008162803.tif 000013
2008162803.tif 000014
2008162803.tif 000015
2008162803.tif 000016
2008162803.tif 000017
2008162803.tif 000018